(57)【要約】【課題】ＩＳＤＮ回線でＧ３ファクシミリ通信を行っているときにＰＳＴＮ回線から呼出があった場合、ＰＳＴＮ回線で呼び出した相手端末に応答する。【解決手段】ＩＳＤＮ回線でＧ３通信中にＰＳＴＮ回線からＧ３通信の呼出信号を受信すると、主制御部３２は切替部３９をＤＴＭＦ発生部３８に接続し、ＤＴＭＦ発生部３８でメモリ送信待機を要求するＤＴＭＦ信号を生成させ、生成したＤＴＭＦ信号を網制御部３４を介して送出し、ＰＳＴＮ回線を開放する。送信側端末はこのＤＴＭＦ信号を検出するとメモリ送信待機状態に移行する。【選択図】　　図３
2004040438.tif 000002
【特許請求の範囲】
【請求項１】
ＰＳＴＮ回線とＩＳＤＮ回線の両方に接続されたファクシミリ装置において、
ＩＳＤＮ回線にてＧ３通信中のＰＳＴＮ回線からの呼出信号に応答して特定のＤＴＭＦ信号により送信側にメモリー送信を要求し、ＩＳＤＮ回線のＧ３通信が終了後に着信可能であることを通知することを特徴とするファクシミリ装置。
【請求項２】
前記ＩＳＤＮ回線のＧ３通信が終了後にＰＳＴＮ回線からの呼出信号の送信側の番号とＩＳＤＮ回線にてＧ３通信中にＰＳＴＮ回線から呼出信号があったことを表示する請求項１記載のファクシミリ装置。
【請求項３】
前記ＰＳＴＮ回線からの呼出信号に応答して特定のＤＴＭＦ信号を送出した後、ＤＴＭＦ信号を送出した送信側を特定して、あらかじめ定めた規定時間、特定相手先からの受信を優先する待機状態に入る請求項１又は２記載のファクシミリ装置。
【発明の詳細な説明】
【０００１】
【発明の属する技術分野】
この発明は、ＩＳＤＮ回線とＰＳＴＮ回線に接続されたファクシミリ装置に関するものである。
【０００２】
【従来の技術】
ＩＳＤＮ回線が普及し、市場でＩＳＤＮ回線に接続したＧ４ファクシミリ装置が使用されてきているが、現状ではＧ３ファクシミリ装置が大半を占めている。このためＧ３ファクシミリ装置のオプションとしてＧ４機能を具備しているファクシミリ装置が多い。また、Ｇ４ファクシミリ装置であってもＧ３通信が行えるようにしている。そしてファクシミリ装置の設置環境がＩＳＤＮ回線とＰＳＴＮ回線の両方に接続できる場合、コスト的なメリットからモデムを共通に使用している。
【０００３】
【発明が解決しようとする課題】
このようにＩＳＤＮ回線とＰＳＴＮ回線でモデムを共通に使用していると、ＩＳＤＮ回線でＧ３ファクシミリ通信を行っているとき、モデムはビジー状態になるためＰＳＴＮ回線が空き状態であっても送受信ができず、ＰＳＴＮ回線からの呼出信号に対しても受け付けず、ＰＳＴＮ回線からの呼出しを認識することができずないという短所がある。
【０００４】
また、ＰＳＴＮ回線からの呼出しを認識できないため、ＰＳＴＮ回線からのファクシミリ通信が直接送信であった場合などでは、再発呼がキャンセルされてしまうと画像データを取得することができないという短所がある。
【０００５】
さらに、ＰＳＴＮ回線で呼び出した送信側端末が再送機能を使用し、一定の間隔をおいて再送処理を行った次回の通信時に再度ビジーの可能性があるため、確実に通信を行えない場合がある。
【０００６】
この発明はかかる短所を改善し、ＩＳＤＮ回線でＧ３ファクシミリ通信を行っているときにＰＳＴＮ回線から呼出があった場合、ＰＳＴＮ回線で呼び出した相手端末に応答することができるファクシミリ装置を提供することを目的とするものである。
【０００７】
【課題を解決するための手段】
この発明に係るファクシミリ装置は、ＰＳＴＮ回線とＩＳＤＮ回線の両方に接続されたファクシミリ装置において、ＩＳＤＮ回線にてＧ３通信中のＰＳＴＮ回線からの呼出信号に応答して特定のＤＴＭＦ信号により送信側にメモリー送信を要求し、ＩＳＤＮ回線のＧ３通信が終了後に着信可能であることを通知することを特徴とする。
【０００８】
前記ＩＳＤＮ回線のＧ３通信が終了後にＰＳＴＮ回線からの呼出信号の送信側の番号とＩＳＤＮ回線にてＧ３通信中にＰＳＴＮ回線から呼出信号があったことを表示すると良い。
【０００９】
また、ＰＳＴＮ回線からの呼出信号に応答して特定のＤＴＭＦ信号を送出した後、ＤＴＭＦ信号を送出した送信側を特定して、あらかじめ定めた規定時間、特定相手先からの受信を優先する待機状態に入ることが望ましい。
【００１０】
【発明の実施の形態】
図１はこの発明のファクシミリ装置の構成図である。ファクシミリ装置１は複写機能とプリンタ機能を有し、図に示すように、画像形成ユニット２の下部には記録紙を収納した２段の給紙カセット３ａ，３ｂが設けられ、画像形成ユニット２の上部には読取ユニット４を有する。給紙カセット３ａ，３ｂは給紙ローラ５ａ，５ｂを有し、給紙ローラ５ａ，５ｂにより給紙カセット３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と画像形成ユニット２の画像形成部９と定着部１０が配置されている。画像形成部９は、感光体１１と、感光体１１の周囲に配置された帯電チャージャ１２と現像装置１３と転写部１４及びクリーニングユニット１５と、レーザ光源やポリゴンミラー等が設けられ、感光体１１にレーザービームを照射して画像を書き込む書込ユニット１６を有する。
【００１１】
縦搬送経路６の下流端には排紙ローラ１７が設けられ、画像を形成した記録紙を排紙部１８に搬送する。また、縦搬送経路６の外側には、支軸１９を支点として回転方向に開閉可能な手差しトレイ２０が設けられている。画像形成ユニット２の側面で支軸１９の上部近傍には手差し給紙を行うための給紙口が設けられ、両面ユニット２１と共通に用いられる搬送経路である共通搬送経路２２が搬送ローラ８の上流側で縦搬送経路６と合流している。そして手差しトレイ２０を水平に開放したときに手差し給紙が可能となり、手差しトレイ２０にセットした記録紙は共通搬送経路２２から縦搬送経路６に搬送される。
【００１２】
給紙ユニット３ａ，３ｂあるいは手差しトレイ２０から給紙された記録紙は画像形成部９に搬送される。画像形成部９は、書込ユニット１６により感光体１１に書き込まれて形成された静電潜像を現像装置１３で現像し、現像した画像を転写部１４で記録紙に転写する。定着部１０は画像が転写された記録紙に熱及び圧力を加えて定着する。画像が定着された記録紙は排紙ローラ１７により排紙部１８に排出される。両面ユニット２１は装置本体２の外側部に設置され、記録紙の両面に画像を形成するときは、片面に画像を形成した記録紙を装置本体２の上部に設けた搬送ローラ２３によりスイッチバック経路２４に送り、スイッチバック経路２４から両面ユニット２１を介して再び縦搬送経路６に記録紙を搬送する。
【００１３】
ファクシミリ装置１の制御部３１は図２のブロック図に示すように、装置全体の動作を管理する主制御部３２とモデム３３と網制御部３４とＣＯＤＥＣ３５と通信制御部３６とＡＦＥ（Ａｎａｌｏｇ　Ｆｒｏｎｔ　Ｅｎｄ）３７とＤＴＭＦ発生部３８と、切替部３９と発ＩＤ認識部４０及びメモリ４１を有する。
【００１４】
網制御部３４はＰＳＴＮ回線と通信を行う。ＣＯＤＥＣ３５はＩＳＤＮ回線とＧ３通信を行うためＡ／Ｄ変換を行い、通信制御部３６はＩＳＤＮ回線とのＧ３通信を制御する。ＤＴＭＦ発生部３８はＤＴＭＦ信号を発生する。切替部３９はＡＦＥ３７とＤＴＭＦ発生部３８を切り替える。モデム３３とＡＦＥ３７はＰＳＴＮ回線を使用したＧ３通信とＩＳＤＮ回線を使用したＧ３通信の両方に使用される。
【００１５】
このファクシミリ装置１でＩＳＤＮ回線を使用したＧ３通信は、ＣＯＤＥＣ３５を介してアナログ信号に変換され、Ｇ３通信パスのＡＦＥ３７を経由してモデム３３で送受信を行う。このＩＳＤＮ回線を使用してＧ３通信を行っているときに、ＰＳＴＮ回線から呼出信号を受信した時の処理を図３のフローチャートを参照して説明する。
【００１６】
ＰＳＴＮ回線からＧ３通信の呼出信号を受信すると、網制御部３４を介してリンギングに相当する信号を主制御部３２で検出する（ステップＳ１）。主制御部３２はリンギングに相当する信号を検出すると、この時ＩＳＤＮ回線を使用してＧ３通信中か否を判別し（ステップＳ２）、ＩＳＤＮ回線を使用してＧ３通信中の場合には切替部３９をＤＴＭＦ発生部３８に接続し、一次応答して（ステップＳ３，Ｓ４）、発ＩＤ認識部４０で送信側端末の番号を認識してメモリ４１に蓄積する（ステップＳ５）。その後、主制御部３２は送信側端末からの二次応答を着信後（ステップＳ６）、ＤＴＭＦ発生部３８でメモリ送信待機を要求するＤＴＭＦ信号を生成させ、生成したＤＴＭＦ信号を網制御部３４を介して送出し（ステップＳ７）、ＰＳＴＮ回線を開放する（ステップＳ８）。送信側端末はこのＤＴＭＦ信号を検出するとメモリ送信待機状態に移行する。
【００１７】
この状態でＩＳＤＮ回線を使用してＧ３通信が終了すると（ステップＳ９）、主制御部３２は、そのときメモリ４１に記憶した番号があるかどうかを確認し、メモリ４１に番号が記憶されている場合は表示部４２に送信側端末の番号と着信有りを表示し（ステップＳ１０）、網制御部３４を介してメモリ４１に記憶した番号の送信側端末に呼出信号を送信する（ステップＳ１１）。送信側端末から一次応答があると（ステップＳ１２）、ＤＴＭＦ発生部３８で発ＩＤと着信待機状態であることを通知するＤＴＭＦ信号を生成し、このＤＴＭＦ信号を網制御部３４を介して送信側端末に送信し（ステップＳ１３）、ＰＳＴＮ回線を開放し、切替部３９をＡＦＥ３７側に切り替えて着信待機状態にする（ステップＳ１４）。このＤＴＭＦ信号を受信した送信側端末はファクシミリ装置１に再発呼動作を行うことによりＰＳＴＮ回線を介してファクシミリ通信を行うことができる。また、ＰＳＴＮ回線からＧ３通信の呼出信号を受信したとき、ＩＳＤＮ回線を使用してＧ３通信をしていない場合（ステップＳ１，Ｓ２）、主制御部３２はＰＳＴＮ回線を締結させ（ステップＳ１５）、ＰＳＴＮ回線を介してファクシミリ通信を行い、通信が終了したらＰＳＴＮ回線を開放する（ステップＳ１６，Ｓ１７）。
【００１８】
このように着信待機状態にしたとき、ＩＳＤＮ回線を使用してＧ３通信があると、送信側端末でＰＳＴＮ回線を介して再発呼してもファクシミリ通信ができなくなってしまう。そこで着信待機状態にしたときメモリ４１に番号を記憶している送信側端末から一定時間優先的に受信できるようにすると良い。
【００１９】
この場合の処理を図４のフローチャートを参照して説明する。着信待機状態になると（ステップＳ２１）、主制御部３２はメモリ４１に記憶している番号を表示部４２に表示して、この番号の相手先端末を特定し、特定した相手先端末からのみ受信可能とする特定相手先受信機能を設定する（ステップＳ２２）。この状態で特定した相手先端末からＰＳＴＮ回線を介して呼出信号を受信すると（ステップＳ２３）、特定した相手先端末とＧ３通信を行う（ステップＳ２４）。このＧ３通信が終了すると（ステップＳ２５）、特定相手先受信機能を解除し、メモリ４１に記憶した番号をクリアする（ステップＳ２６，Ｓ２７）。また、特定相手先受信機能を設定してからあらかじめ定めた規定時間経過しても特定した相手先端末からＰＳＴＮ回線を介して呼出信号を受信しない場合は（ステップＳ２２，Ｓ２３，Ｓ２８）、特定相手先受信機能を解除し、メモリ４１に記憶した番号をクリアする（ステップＳ２６，Ｓ２７）。
【００２０】
【発明の効果】
この発明は以上説明したように、ＩＳＤＮ回線にてＧ３通信中のＰＳＴＮ回線からの呼出信号に応答して特定のＤＴＭＦ信号により送信側にメモリー送信を要求し、ＩＳＤＮ回線のＧ３通信が終了後に着信可能であることを通知することにより、ＩＳＤＮ回線にてＧ３通信中にＰＳＴＮ回線で通信しようとした送信側にＩＳＤＮ回線で通信中であることを伝えることができる。
【００２１】
また、ＩＳＤＮ回線のＧ３通信が終了後にＰＳＴＮ回線からの呼出信号の送信側の番号とＩＳＤＮ回線にてＧ３通信中にＰＳＴＮ回線から呼出信号があったことを表示することにより、ＩＳＤＮ回線で通信中にＰＳＴＮ回線から呼出があったことと送信先をユーザーが容易に確認できる。
【００２２】
また、ＰＳＴＮ回線からの呼出信号に応答して特定のＤＴＭＦ信号を送出した後、ＤＴＭＦ信号を送出した送信側を特定して、あらかじめ定めた規定時間、特定相手先からの受信を優先する待機状態に入ることにより、送信側端末でＰＳＴＮ回線を介して再発呼したときに確実に通信することができる。
【図面の簡単な説明】
【図１】この発明のファクシミリ装置の構成図である。
【図２】制御部の構成を示すブロック図である。
【図３】ＩＳＤＮ回線で通信中にＰＳＴＮ回線から呼出信号を受信したときの処理を示すフローチャートである。
【図４】着信待機状態からＰＳＴＮ回線との通信を行うときの処理を示すフローチャートである。
【符号の説明】
１；ファクシミリ装置、２；画像形成ユニット、３；給紙カセット、
４；読取ユニット、３１；制御部、３２；主制御部、３３；モデム、
３４；網制御部、３５；ＣＯＤＥＣ、３６；通信制御部、３７；ＡＦＥ、
３８；ＤＴＭＦ発生部、３９；切替部、４０；発ＩＤ認識部、
４１；メモリ、４２；表示部。
【図１】
2004040438.tif 000003
【図２】
2004040438.tif 000004
【図３】
2004040438.tif 000005
【図４】
2004040438.tif 000006